(57)【要約】【課題】記載不備を防止し、且つ、作業の簡易化を図ることができる印刷物、注文シート、及びこのシートを用いた商品注文方法、並びに商品注文システムを提供する。【解決手段】提供側からの提供項目(4,6)、及びその配置によって提供項目を特定するドット(12)を有したコード(8)がそれぞれ表示された提供項目表示部(2)と、被提供側からの意思表明欄(26)、及び意思表明欄内を移動可能な移動部材(30)をそれぞれ有しており、提供項目表示部の所望の提供項目上に重ねられ、移動部材をドット上に移動させることによりドットの配置情報が透写されて所望の提供項目に対する意思表明書を構成する意思表明シート(20)とを具備する。【選択図】図１
2008284723.tif 000002
【特許請求の範囲】
【請求項１】
提供側からの提供項目、及びその配置によって該提供項目を特定するドットを有したコードがそれぞれ表示された提供項目表示部と、
被提供側からの意思表明欄、及び該意思表明欄内を移動可能な移動部材をそれぞれ有しており、前記提供項目表示部の所望の提供項目上に重ねられ、前記移動部材を前記ドット上に移動させることにより該ドットの配置情報が透写され、前記所望の提供項目に対する意思表明書を構成する意思表明シートと
を具備することを特徴とする印刷物。
【請求項２】
商品、及びその配置によって該商品を特定するドットを有したコードがそれぞれ表示された商品表示部と、
窓、及び該窓内を移動可能なブロックをそれぞれ有しており、前記商品表示部の所望の商品上に重ねられ、前記ブロックを前記ドット上に移動させることにより該ドットの配置情報が透写され、前記所望の商品の注文書を構成する注文シートと
を具備することを特徴とする印刷物。
【請求項３】
請求項２に記載の印刷物であって、
前記商品表示部と前記注文シートとは、分離可能に構成されており、
前記窓は、該注文シート内に複数形成されていることを特徴とする印刷物。
【請求項４】
請求項２又は３に記載の印刷物であって、
前記コードは、
所定方向に沿って印刷された複数の前記ドットと、
前記所定方向に沿って該ドットを貫いた態様で印刷されており、その両端部分が該ドットの配置範囲を表示する棒状部と
を有することを特徴とする印刷物。
【請求項５】
請求項４に記載の印刷物であって、
前記窓は、前記ドット及び前記棒状部を囲繞して前記所定方向に沿って形成されており、該棒状部の一端部分の外側に前記ブロックを退避させ、該当商品の注文を履行させないデフォルト部を有することを特徴とする印刷物。
【請求項６】
請求項５に記載の印刷物であって、
所定方向に沿って配置されており、前記所望の商品の付随情報として選択可能な選択肢の総てが表示された選択肢表示部をさらに具備し、
前記窓は、該選択肢表示部に対応して前記所定方向に沿って形成されており、前記ブロックを前記選択肢上に移動させることにより該選択肢の配置情報が前記シートに透写されるのに対し、該選択肢表示部の一端部分の外側に前記ブロックを退避させ、該当選択肢の選択を履行させないデフォルト部を有することを特徴とする印刷物。
【請求項７】
請求項５又は６に記載の印刷物であって、
所定方向に沿って配置されており、前記所望の商品を掲載している印刷物、及びその配置によって該印刷物を特定するドットを有したコードがそれぞれ表示された印刷物判別表示部をさらに具備し、
前記窓は、前記ドットを囲繞して前記所定方向に沿って形成されており、前記ブロックを該ドット上に移動させることにより該所望の商品を掲載している印刷物の情報が前記シートに透写されることを特徴とする印刷物。
【請求項８】
請求項１から７のいずれか一項に記載の印刷物であって、
前記注文シートには、光学機器に読み取られる前記窓及び前記ブロックの拡大縮小率や回転角度を演算装置に認識させるパターンが形成されていることを特徴とする印刷物。
【請求項９】
所望の商品の注文書を構成する注文シートであって、
商品、及びその配置によって該商品を特定するドットを有したコードがそれぞれ表示されている商品カタログに重ねられる窓と、
該窓内を移動可能に構成されており、前記ドット上に移動して該ドットの配置情報を透写するブロックと
を具備することを特徴とする注文シート。
【請求項１０】
商品、及びその配置によって該商品を特定するドットを有したコードがそれぞれ表示された商品表示部を決定する工程と、
窓、及び該窓内を移動可能なブロックをそれぞれ有しており、前記商品表示部の所望の商品上に注文シートを重ねる工程と、
前記ブロックを前記ドット上に移動させることにより該ドットの配置情報を前記注文シートに透写する工程と、
該注文シートによる注文内容を光学機器で読み取る工程と
を含むことを特徴とする商品注文方法。
【請求項１１】
請求項２から８のいずれか一項に記載の印刷物を用いた商品注文システムであって、
前記注文シートを撮影し、該注文シートに透写された前記ドットの配置情報を読み取る光学機器と、
前記注文シートの撮影画像を解析し、前記所望の商品を特定する演算装置と、
該撮影画像の解析結果から前記所望の商品情報を取得するサーバと
を具備することを特徴とする商品注文システム。
【発明の詳細な説明】
【技術分野】
【０００１】
本発明は、光学機器に読み取り可能なシートを有する印刷物、注文シート、及び該シートを用いた商品注文方法、並びに商品注文システムに関するものである。
【背景技術】
【０００２】
この種の印刷物、例えば商品カタログには注文シートが別途設けられており、商品を注文したい者は、このカタログに表示されている所望の商品番号、サイズや数量等の数字や記号をシートの注文欄に直接に記入する、若しくは、所望の商品番号、サイズや数量等に該当するマークを塗り潰して所望の商品を特定している。
【０００３】
そして、このシートは、郵送やＦＡＸ等にて、或いは、光学機器にて読み取られ（例えば、特許文献１参照）、商品の提供者側に向けて送られる。
一方、注文シートを用いないカタログも知られている（例えば、特許文献２参照）。詳しくは、当該カタログには商品毎に二次元コードが付されており、商品を注文したい者は、このカタログに付された所望の商品のコードを光学機器で読み取って所望の商品を特定している。
【０００４】
【特許文献１】特開２００５−２５８８１４号公報
【特許文献２】特開２００６−１８５１４１号公報
【発明の開示】
【発明が解決しようとする課題】
【０００５】
しかしながら、上述した文献１の如くの技術では、商品を注文したい者は、商品カタログと注文シートとの間で視点を幾度も移動させ、カタログに表示された商品番号等の数字や記号を注文シートの注文欄に記入、若しくは、該当するマークを塗り潰さなければならない。
すなわち、これでは記載不備、具体的には、該当する注文欄とは異なる注文欄に記入する、若しくは、該当するマークとは異なるマークを塗り潰す、又は、誤った数字や記号を記入するとの記入ミスが生じ、この者が意図していない商品を注文してしまうとの問題がある。
【０００６】
特に、商品を初めて注文する者にとっては他の記載不備、詳しくは、光学機器で読み取り可能な書体で記載されていない、若しくは、マークが適切に塗り潰されていないとの記入不鮮明もさらに生じ、この者が意図していない商品をより注文し易くなる。このように、上記技術では、記載不備の防止の点については依然として課題が残されている。
【０００７】
また、この問題の解決にあたり、注文作業が煩雑になることは避けなければならない。つまり、上述した文献２の如く、商品の注文毎に二次元コードを読み取る場合によれば、複数の商品を注文するには注文作業も複数回必要になり、この作業回数の増加は、この者が意図していない商品をやはり注文し易くなるからである。
【０００８】
そこで、本発明の目的は、上記課題を解消し、記載不備を防止し、且つ、作業の簡易化を図ることができる印刷物、注文シート、及び該シートを用いた商品注文方法、並びに商品注文システムを提供することである。
【課題を解決するための手段】
【０００９】
上記目的を達成するための第１の発明は、提供側からの提供項目、及びその配置によって提供項目を特定するドットを有したコードがそれぞれ表示された提供項目表示部と、被提供側からの意思表明欄、及び意思表明欄内を移動可能な移動部材をそれぞれ有しており、提供項目表示部の所望の提供項目上に重ねられ、移動部材をドット上に移動させることによりドットの配置情報が透写されて所望の提供項目に対する意思表明書を構成する意思表明シートとを具備する。
【００１０】
第１の発明によれば、印刷物は、提供項目表示部と、所望の提供項目上に重ねられる意思表明シートとを備えており、提供項目表示部には、提供側からの提供項目が表示されているとともに、この提供項目を特定するコードが表示されている。そして、このコードはドットを有し、そのドットの配置によって提供項目が特定される。一方、意思表明シートは被提供側からの意思表明欄や移動部材を有し、この移動部材は意思表明欄内を移動可能に構成されており、この移動部材をドット上に移動させると、ドットの配置情報がシートに透写され、提供項目に対する意思表明書として機能する。
よって、ドットの配置情報はブロックの移動によってシートに透き写しされることから、従来に比して記載不備が防止される。したがって、被提供側による記入が省略されてその意思表明が簡易化されるし、その意思は提供側に確実に表明可能となる。
【００１１】
第２の発明は、商品、及びその配置によって商品を特定するドットを有したコードがそれぞれ表示された商品表示部と、窓、及び窓内を移動可能なブロックをそれぞれ有しており、商品表示部の所望の商品上に重ねられ、ブロックをドット上に移動させることによりドットの配置情報が透写されて所望の商品の注文書を構成する注文シートとを具備する。
【００１２】
第２の発明によれば、印刷物は、商品表示部と、所望の商品上に重ねられる注文シートとを備えており、商品表示部には、商品が表示されているとともに、商品を特定するコードが表示されている。このコードはドットを有し、そのドットの配置によって商品が特定される。一方、注文シートは窓やブロックを有し、このブロックは窓内を移動可能に構成されており、ブロックをドット上に移動させると、ドットの配置情報がシートに透写され、所望の商品の注文書として機能する。
このように、商品表示部の所望の商品上にシートを重ね、ドットの配置情報がブロックの移動によってシートに透き写しされることにより、被提供側による記入が省略され、従来に比して記載不備が防止される。この結果、被提供側による意思表明が簡易化されるし、その意思は商品提供側に確実に表明可能となる。
【００１３】
第３の発明は、第２の発明の構成において、商品表示部と注文シートとは、分離可能に構成されており、窓は、注文シート内に複数形成されていることを特徴とする。
第３の発明によれば、第２の発明の作用に加えてさらに、商品表示部と注文シートとが分離可能に構成されており、注文シートは、例えば後日に行われる注文シートとしてもリユース（再使用）可能となる。しかも、１枚の注文シートには複数の商品が注文可能に構成されているので、当初に注文した商品とは例えば別ページの商品をも１枚の注文シートで注文可能となり、商品毎に付された二次元コードを１つずつ読み取る従来に比して注文作業がより一層簡易化される。
【００１４】
第４の発明は、第２や第３の発明の構成において、コードは、所定方向に沿って印刷された複数のドットと、所定方向に沿ってドットを貫いた態様で印刷されており、その両端部分がドットの配置範囲を表示する棒状部とを有することを特徴とする。
第４の発明によれば、第２や第３の発明の作用に加えてさらに、棒状部の印刷範囲がドットの配置範囲としての意義を有し、複数のドットの各配置によって多くの商品が容易に特定可能となる。
【００１５】
第５の発明は、第４の発明の構成において、窓は、ドット及び棒状部を囲繞して所定方向に沿って形成されており、棒状部の一端部分の外側にブロックを退避させ、該当商品の注文を履行させないデフォルト部を有することを特徴とする。
第５の発明によれば、第４の発明の作用の如くコードのドット及び棒状部が商品の特定に機能を発揮する他、この棒状部と注文シートの窓とは商品の注文の履行に機能を発揮する。詳しくは、ブロックが窓のデフォルト部に退避されている場合には、商品の注文が履行されないので、注文の有無が明確になる。
【００１６】
第６の発明は、第５の発明の構成において、所定方向に沿って配置されており、所望の商品の付随情報として選択可能な選択肢の総てが表示された選択肢表示部をさらに具備し、窓は、選択肢表示部に対応して所定方向に沿って形成されており、ブロックを選択肢上に移動させることにより選択肢の配置情報がシートに透写されるのに対し、選択肢表示部の一端部分の外側にブロックを退避させ、当選択肢の選択を履行させないデフォルト部を有することを特徴とする。
第６の発明によれば、第５の発明の作用に加えてさらに、商品表示部の他、選択肢表示部をさらに備えており、この選択肢表示部では商品に付随する情報として適宜選択可能な選択肢の総てが表示されている。そして、ブロックを選択肢上に移動させると、選択肢の配置情報がシートに透写され、選択肢の選択が履行される。これに対し、ブロックが窓のデフォルト部に退避されている場合には、この商品に関する選択肢の選択が履行されないことから、選択の有無が明確になる。
【００１７】
第７の発明は、第５や第６の発明の構成において、所定方向に沿って配置されており、所望の商品を掲載している印刷物、及びその配置によって印刷物を特定するドットを有したコードがそれぞれ表示された印刷物判別表示部をさらに具備し、窓は、ドットを囲繞して所定方向に沿って形成されており、ブロックをドット上に移動させることにより所望の商品を掲載している印刷物の情報がシートに透写されることを特徴とする。
第７の発明によれば、第５や第６の発明の作用に加えてさらに、印刷物判別表示部をさらに備えており、この判別表示部では所望の商品を掲載している印刷物の情報がドットで表示されている。よって、１枚の注文シートには、別の印刷物に表示された商品をも注文可能となる。
【００１８】
第８の発明は、第１から第７の発明の構成において、注文シートには、光学機器に読み取られる窓及びブロックの拡大縮小率や回転角度を演算装置に認識させるパターンが形成されていることを特徴とする。
第８の発明によれば、第１から第７の発明の作用に加えてさらに、注文シートは光学機器にて読み取られ、演算装置にて解析される。ここで、このシートには、窓やブロックの拡大縮小率や回転角度を演算装置に認識させるパターンを有していることから、窓やブロックの解析精度の向上に寄与する。
【００１９】
第９の発明は、所望の商品の注文書を構成する注文シートであって、商品、及びその配置によって商品を特定するドットを有したコードがそれぞれ表示されている商品カタログに重ねられる窓と、窓内を移動可能に構成されており、ドット上に移動してドットの配置情報を透写するブロックとを具備する。
【００２０】
第９の発明によれば、注文シートは商品カタログに重ねられて所望の商品の注文書を構成するが、このカタログには、商品が表示されているとともに、商品を特定するコードが表示されている。このコードはドットを有し、そのドットの配置によって商品が特定される。一方、注文シートは窓やブロックを有し、このブロックは窓内を移動可能に構成されており、ブロックをドット上に移動させると、ドットの配置情報がシートに透写される。これにより、被提供側による記入が省略され、従来に比して記載不備が防止される。この結果、被提供側による意思表明が簡易化されるし、その意思は商品提供側に確実に表明可能となる。
【００２１】
第１０の発明は、商品、及びその配置によって商品を特定するドットを有したコードがそれぞれ表示された商品表示部を決定する工程と、窓、及び窓内を移動可能なブロックをそれぞれ有しており、商品表示部の所望の商品上に注文シートを重ねる工程と、ブロックをドット上に移動させることによりドットの配置情報を注文シートに透写する工程と、注文シートによる注文内容を光学機器で読み取る工程とを含む。
【００２２】
第１０の発明によれば、所望の商品を注文したい者は、まず、商品表示部の所望の商品上にシートを重ね、次いで、この商品を特定するドットの位置とブロックの位置とを一致させれば、ドットの配置情報が注文シートに透き写しされる。続いて、注文シートを光学機器で読み取ると、所望の商品が注文可能となる。すなわち、この者による記入が不要になる結果、従来に比して記載不備が確実に防止され、この者の意思表明が簡易化されるし、その意思は商品提供側に確実に表明可能となる。
【００２３】
第１１の発明は、第２から第８の印刷物を用いた商品注文システムであって、注文シートを撮影し、このシートに透写されたドットの配置情報を読み取る光学機器と、このシートの撮影画像を解析し、所望の商品を特定する演算装置と、撮影画像の解析結果から所望の商品情報を取得するサーバとを具備することを特徴とする。
第１１の発明によれば、第２から第８の発明の作用に加えてさらに、ドットの配置情報を注文シートに透き写した注文シートが光学機器で読み取られ、このシートの撮影画像が演算装置で解析され、この結果から所望の商品情報がサーバで取得される。よって、所望の商品を注文したい者による記入が不要になり、この者の意思表明が簡易化されるし、その意思は商品提供側のサーバに確実に表明可能となり、サーバでは所望の商品情報を速やかに取得できる。
【発明の効果】
【００２４】
本発明によれば、記載不備を防止しつつ、作業の簡易化が達成される印刷物、注文シート、及びこのシートを用いた商品注文方法、並びに商品注文システムを提供することができる。
【発明を実施するための最良の形態】
【００２５】
以下、本発明の好適な実施の形態を図面に基づいて説明する。
図１には、意思表明シートを有する印刷物の一例として、注文シート２０を有する商品カタログ１が示されている。本実施例のカタログ１の各頁には商品が写真付きで掲載されており、これらカタログ１とシート２０とは分離可能に構成され、同図では、シート２０がカタログ１の右頁に重ねられた状態にて示されている。
【００２６】
詳しくは、このカタログ１には１頁につき２つの商品が掲載されている。本実施例では、ベビー服の商品表示部（提供項目表示部）２，２が各頁の上側と下側とにそれぞれ掲載されている。また、各表示部２は各頁の略中央部分よりも左側に配置され、上方から商品写真欄４、商品名欄６及び串団子コード（コード）８の順に所定の間隔を有して配設されている。
【００２７】
図２にも示されるように、この写真欄４にはベビー服の全体写真がカラーで掲載され、また、商品名欄６には、写真欄４に該当する商品名とともに、その商品番号が掲載されている。
ここで、上述のコード８は商品毎に設定されており、商品名欄６の商品を特定する機能を有している。具体的には、図３にも示される如く、本実施例のコード８は水平方向に沿って印刷された単色（例えば黒色）の串部（棒状部）１０を有し、その長さは写真欄４や商品名欄６の幅に略相当する大きさで構成されている。
【００２８】
串部１０上には円形の団子部（ドット）１２，１２が単色（例えば黒色）で印刷され、本実施例では２個の団子部１２で構成されている。また、この串部１０は各団子部１２の略中央部分を貫いた態様で形成される。そして、各団子部１２が水平方向に向けて延びた串部１０の形成範囲内の適宜位置に配置されることにより、商品が特定される。例えば、串部１０が１０個の団子部１２を配置可能な長さで形成されていた場合には、各団子部１２の配置の組み合わせにより計４５通りの商品が特定可能となる。
【００２９】
一方、各頁において商品表示部２の右側には選択肢表示部１４が配置されている（図２）。本実施例の表示部１４は、上方からサイズ欄１６及び数量欄１８の順に所定の間隔を有して配設されている。これらサイズ欄１６や数量欄１８はコード８で特定されたベビー服に付随する情報であり、当該ベビー服に関する所望のサイズや数量が選択可能に構成されている。
【００３０】
また、この表示部１４には、上述したサイズや数量の選択肢の総てが表示されている。詳しくは、このサイズ欄１６は３個の升目１７が水平方向に沿って配設されており、各升目１７は同じ大きさでそれぞれ形成され、各升目１７内には左側から６０ｃｍ、７０ｃｍ、８０ｃｍの順に表示されている。つまり、この頁のサイズ欄１６では、当該ベビー服について上記３つの選択肢のうちいずれかのサイズが選択可能に構成されている。
【００３１】
数量欄１８は５個の升目１９が水平方向に沿って配設され、各升目１９は同じ大きさでそれぞれ形成されている。そして、各升目１９内には左側から１個、２個、３個、４個、５個の順に表示されており、この頁の数量欄１８では、当該ベビー服について上記５つの選択肢のうちいずれかの数量が選択可能に構成される。
【００３２】
再び図１に戻り、カタログ１の左頁の上側にはオーバーオールタイプのベビー服（商品番号０００１）が掲載され、当該ベビー服の下側には水玉模様のワンピースタイプのベビー服（商品番号０００２）が掲載されている。また、右頁の上側にはセットアップタイプのベビー服（商品番号０００３）が掲載されており、当該ベビー服の下側には襟付きのワンピースタイプのベビー服（商品番号０００４）が掲載されている。
【００３３】
各ベビー服のコード８は団子部１２，１２の配置がいずれも異なっている。また、商品番号０００１を特定するコード８と商品番号０００２を特定するコード８とは、所定の間隔を有して配設されており、当該間隔は、商品番号０００３を特定するコード８と商品番号０００４を特定するコード８との間隔に略一致して配置されている。
【００３４】
さらに、商品番号０００１のサイズ欄１６と商品番号０００２のサイズ欄１６との間隔もまた、商品番号０００３のサイズ欄１６と商品番号０００４のサイズ欄１６との間隔に略一致して配置され、また、商品番号０００１の数量欄１８と商品番号０００２の数量欄１８との間隔も、商品番号０００３の数量欄１８と商品番号０００４の数量欄１８との間隔に略一致して配置されている。
【００３５】
このように、本実施例のカタログ１は掲載に関する規則に則ってレイアウトされており、この規則は注文シート２０にも適用される。
詳しくは、本実施例のシート２０は、図１の他、図４にも示されるように、カタログ１の１頁分の大きさと略同等の大きさで形成されている。また、シート２０は透明若しくは半透明の上側本体２２を有している。この本体２２は枠（パターン）２４を有し、四角形状の本体２２の外周縁が単色（例えば黒色）の太線で囲まれており、枠２４の水平方向に向けて延びた上辺及び下辺はカタログ１の上下端部分にそれぞれ対峙し、枠２４の垂直方向に向けて延びた左辺及び右辺はカタログ１の左右端部分にそれぞれ対峙して重ねられる。
【００３６】
上側本体２２には主窓（意思表明欄）２６が穿設されており、主窓２６の位置は上述したコード８の位置に対応している。
具体的には、図５にも示されるように、主窓２６はシート２０の左側に配置され、略長方形状の孔で形成されており、水平方向に沿って長辺を、垂直方向に沿って短辺をそれぞれ有している。この主窓２６の短辺の長さは団子部１２の直径に略等しく形成され、また、この長辺の長さは水平方向に向けて延びた串部１０の長さよりも長く形成されている。そして、本実施例では、上記枠２４の上辺及び下辺とカタログ１の上下端部分とが一致するように、シート２０をカタログ１に重ねると、主窓２６の左端と串部１０の左端とが一致し、主窓２６の右端は串部１０の右端よりもさらに右側に向けて突出する（図１）。
【００３７】
一方、この主窓２６内には２個の主ブロック（移動部材）３０が配設されている。詳しくは、本実施例のブロック３０は平面視で略正方形状に単色（例えば黒色）で形成されており、主窓２６内を水平方向に向けて移動可能に構成されている。
より具体的には、図６に示される如く、本実施例のブロック３０は上側本体２２と透明若しくは半透明の下側本体２３との間に狭持されており、この上側本体２２の裏面側には、主窓２６の短辺よりも垂直方向に若干大きな溝部２８，２８が水平方向に沿って形成されている。そして、ブロック３０を溝部２８内に配置し、上側本体２２と下側本体２３とを当接させると、ブロック３０の表面の上下端部分が上側本体２２の裏面側に接し、ブロック３０が主窓２６内にて移動可能に遊嵌される。
【００３８】
このように、主窓２６は串部１０及び団子部１２を囲繞し、水平方向に沿って形成された主窓２６のうち串部１０に対峙する位置が履行部２７として構成され、各ブロック３０を団子部１２上に移動させると、コード８の内容がシート２０に透き写しされる。
これに対し、上述の如く、主窓２６の長辺は串部１０よりも長く形成されており、主窓２６には串部１０に対峙しない領域が存在する。本実施例では、２個分のブロック３０を退避可能な領域が主窓２６の右端部分に形成され、当該部分が不履行部（デフォルト部）２９として構成される。ブロック３０が不履行部２９に位置することは、コード８を特定しない状態、つまり、注文前のリセット状態としての意義を有している。
【００３９】
また、シート２０において各主窓２６の右側上方には副窓３２，３８が穿設され、副窓３２の位置は上述したサイズ欄１６の位置に、副窓３８の位置は数量欄１８の位置にそれぞれ対応している。
まず、副窓３２は、水平方向に沿って長辺を有し、垂直方向に沿って短辺を有する略長方形状の孔で形成されている。この副窓３２の短辺の長さは升目１７の高さよりも小さく形成され、また、この長辺の長さは水平方向に向けて延びた３個の升目１７の長さよりも長く形成されている。そして、本実施例では、シート２０を上述の如くカタログ１に重ねると、副窓３２の右端と８０ｃｍを選択する升目１７の右端とが一致し、副窓３２の左端は６０ｃｍを選択する升目１７の左端よりもさらに左側に向けて突出する（図１）。
【００４０】
この副窓３２内には１個の副ブロック（移動部材）３６が配設され、このブロック３６もまた平面視で略正方形状に単色（例えば黒色）で形成されており、副窓３２内を水平方向に向けて移動可能に構成されている。そして、この副窓３２のうち升目１７に対峙する位置が履行部３３として構成され、ブロック３６を所望の升目１７上に移動させると、サイズの選択内容がシート２０に透き写しされる。
【００４１】
一方、この副窓３２の左端部分には１個のブロック３６を退避可能な領域が形成されており、当該部分が不履行部（デフォルト部）３４として構成される。ブロック３６が不履行部３４に位置することによりサイズを選択しないリセット状態となる。
さらに、副窓３８は副窓３２の下方に穿設され、この副窓３８もまた略長方形状の孔で形成され、水平方向に沿って長辺を有し、垂直方向に沿って短辺を有している。この副窓の短辺の長さは升目１９の高さよりも小さく形成され、この長辺の長さは水平方向に向けて延びた５個の升目１９の長さよりも長く形成されている。そして、本実施例では、シート２０を上述の如くカタログ１に重ねると、副窓３８の右端と５個を選択する升目１９の略中央部分とが一致し、副窓３８の左端が１個を選択する升目１９の左端よりもさらに左側に向けてさらに突出する（図１）。
【００４２】
この副窓３８内にも１個の副ブロック（移動部材）４２が配設されており、このブロック４２もまた平面視で略正方形状に単色（例えば黒色）で形成され、副窓３８内を水平方向に向けて移動可能に構成される。そして、この副窓３８のうち升目１９に対峙する位置が履行部３９として構成されており、ブロック４２を所望の升目１９上に移動させると、数量の選択内容がシート２０に透き写しされる。一方、副窓３８の左端部分にも１個のブロック４２を退避可能な領域が形成され、当該部分が不履行部（デフォルト部）４０として構成される。ブロック４２が不履行部４０に位置することにより数量を選択しないリセット状態となる。
【００４３】
シート２０は複数の商品を注文可能に構成されており、本実施例では、２つの商品を注文可能にすべく、主窓２６、副窓３２、及び副窓３８がそれぞれ２個ずつ形成されている。これら上下に配置された各主窓２６の間隔、各副窓３２の間隔、並びに各副窓３８の間隔は、カタログ１の各コード８の間隔、各サイズ欄１６の間隔、並びに各数量欄１８の間隔にそれぞれ略同等に構成されている。
【００４４】
シート２０内において、ブロック３０の位置座標は主窓２６を基準として特定され、この主窓２６の位置座標は枠２４を基準として特定される。また、ブロック３６の位置座標は副窓３２を基準として特定され、この副窓３２の位置座標は枠２４や主窓２６を基準として特定される。さらに、ブロック４２の位置座標もまた副窓３８を基準として特定され、この副窓３８の位置座標は枠２４や主窓２６を基準として特定される。
【００４５】
ここで、外出用のベビー服の購入を検討している者が本実施例のカタログ１を閲覧し、例えばセットアップタイプの写真欄４を見て当該ベビー服の注文を決定した場合には、シート２０を手に持ち、枠２４の上辺及び右辺とカタログ１の上端及び右端部分とがそれぞれ一致するように、シート２０をカタログ１の右頁に重ねる。これにより、当該ベビー服の表示部２上にシート２０が重ねられ、当該ベビー服のコード８が上側の主窓２６で囲まれる。
【００４６】
次に、この者は、まず、指を用いて左側に位置する主ブロック３０を不履行部２９から水平移動させる。詳しくは、左側に位置する団子部１２が当該ブロック３０で完全に隠れるまで左方向に向けて移動させる（図１，２）。同様に、指を用いて右側に位置するブロック３０も右側に位置する団子部１２が完全に隠れるまで水平移動させる。これにより、この者には、各ブロック３０の略中央部分が串部１０で貫かれた状態が見え（図１）、団子部１２の配置情報が主窓２６に透写される。
【００４７】
続いて、この者は当該ベビー服のサイズや数量を選択する。具体的には、シート２０が上述の如くカタログ１に重ねられていることにより、副窓３２がサイズ欄１６の上に、副窓３８が数量欄１８の上にそれぞれ重ねられるので、この者が例えば６０ｃｍのサイズを所望している場合には、副ブロック３６を不履行部３４から６０ｃｍを表示する升目１７まで右方向に向けて水平移動させる（図１）。
【００４８】
また、この者が例えば２枚の数量を所望している場合には、副ブロック４２を不履行部４０から２枚を表示する升目１９まで右方向に向けて水平移動させる（図１）。これにより、サイズ欄１６の升目１７や数量欄１８の升目１９の各配置情報が副窓３２，３８にそれぞれ透写される。換言すれば、シート２０には、サイズ６０ｃｍのセットアップタイプのベビー服（商品番号０００３）を２枚所望している旨が特定可能となる。
【００４９】
その後、この者がカタログ１を閲覧し続けた結果、今回は上記ベビー服のみを注文することを決めた場合には、シート２０をカタログ１から離す。そして、例えば携帯情報端末５０を手に持ち（図７）、注文用の専用アプリケーションを起動させる。なお、当該アプリケーションは端末５０に予めインストールされている。
【００５０】
次いで、この端末５０のカメラ機能（光学機器）でシート２０を撮影する。その際、シート２０のうち下側の主窓２６、副窓３２及び副窓３８では商品が特定されていないことから、その各ブロック３０，３６，４２はシート２０の略中央部分に、つまり、主ブロック３０は不履行部２９に、副ブロック３６は不履行部３４に、副ブロック４２は不履行部４０にそれぞれ退避されていることを確認する。そして、シート２０の枠２４が端末５０の画面内に納まるように撮影すると、シート２０が端末５０で読み取られる。
【００５１】
続いて、当該アプリケーションの保存ボタンを押すと、撮影画像の解析が行われ、注文情報の入力ステップから確定ステップに移行する。詳しくは、アプリケーションの図示しない解析処理部（演算装置）では、撮影画像から枠２４をまず特定する。そして、枠２４の拡大縮小率や回転角度が認識されると、主窓２６や主ブロック３０の拡大縮小率や回転角度も認識される。これにより、主窓２６や主ブロック３０の位置が特定されるので、該当する商品コードが求められる。
【００５２】
本実施例の解析結果は、図８に示されるように、端末５０から基地局６０に向けて送信され、ネットワーク７０を経由して図示しないデータベースを有するサーバ８０に向けて送られる。そして、このサーバ８０では該当する商品情報（商品番号０００３のセットアップタイプのベビー服）が得られる。
また、上述の撮影画像の解析では、主窓２６や主ブロック３０と同様に、副窓３２，３８の位置も特定され、副ブロック３６，４２の位置も同時に特定されており、該当するサイズ（６０ｃｍ）及び数量（２枚）が求められる。この解析結果もまたサーバ８０に向けて送られ、在庫の有無の情報が得らえる。
【００５３】
次いで、注文情報の確認ステップに移行し、サーバ８０で得られた情報を端末５０の画面に表示して注文内容を確認させる。そして、当該アプリケーションの確定ボタンを押すと、注文が完了する。その後、当該商品は、例えばカタログ１の申し込み時に登録されていた場所に配送され、商品の決済もまた、予め登録されている方法にて実施される。
【００５４】
なお、この注文者の確認は端末５０の端末ＩＤを用いて認証される。また、上記確認ステップにて注文内容に誤りがある場合には、シート２０による商品の特定を初めからやり直す、或いは、サーバ８０で得られた情報を端末５０の画面にて修正することによって正される。
以上のように、本発明は、商品を注文したい者（被提供側）による記入を省略する点に着目したものである。
【００５５】
そして、本実施例によれば、カタログ１は、商品表示部２と、所望の商品上に重ねられる注文シート２０とを備えており、表示部２には、商品が表示されているとともに、商品写真、商品名や商品番号を特定する串団子コード８が表示されている。このコード８は円形の団子部１２を有し、団子部１２の配置によって商品写真、商品名や商品番号が特定される。
【００５６】
一方、シート２０は窓２６，３２，３８やブロック３０，３６，４２を有し、ブロック３０，３６，４２は窓２６，３２，３８内を水平方向に向けて移動可能に構成されており、このうちブロック３０を団子部１２上に移動させると、団子部１２の配置情報がシート２０に透写され、また、ブロック３６，４２を升目１７，１９上に移動させると、升目１７，１９の配置情報もシート２０に透写され、商品の注文書として機能する。
【００５７】
このように、表示部２の所望の商品上にシート２０を重ね、団子部１２の配置情報や升目１７，１９の配置情報がブロック３０，３６，４２の移動によってシート２０に透き写しされることにより、商品を注文したい者による記入が省略され、従来に比して記入ミスや記入不鮮明等の記載不備が一切防止される。この結果、商品を注文したい者による意思表明が簡易化されるし、その意思は商品の提供者に確実に表明可能となる。
【００５８】
また、表示部２とシート２０とが分離可能に構成されており、シート２０は、例えば後日に行われる注文シートとしてもリユース（再使用）可能となる。しかも、１枚のシート２０には複数の商品が注文可能に構成されているので、当初に注文した商品とは例えば別ページの商品をも１枚のシート２０で注文可能となり、商品毎に付された二次元コードを１つずつ読み取る従来に比して注文作業がより一層簡易化される。
【００５９】
さらに、串部１０が団子部１２を貫いた態様で印刷され、この串部１０の印刷範囲が２個の団子部１２の配置範囲としての意義を有しており、各団子部１２の配置を組み合わせることによって多くの商品が容易に特定可能となる。
さらにまた、コード８の串部１０及び団子部１２が商品の特定に機能を発揮する他、この串部１０と主窓２６とは商品の注文の履行にも機能を発揮する。詳しくは、ブロック３０が主窓２６の不履行部２９に退避されている場合には、商品の注文が履行されないので、注文の有無が明確になる。
【００６０】
また、商品表示部２の他、選択肢表示部１４をさらに備えており、この表示部１４では商品に付随するサイズや数量等の選択肢の総てが表示されている。そして、副ブロック３６をサイズ欄１６の升目１７上に、副ブロック４２を数量欄１８の升目１９上にそれぞれ水平移動させると、各選択肢の配置情報がシート２０に透写され、サイズや数量の選択が履行される。これに対し、副ブロック３６が不履行部３４に、副ブロック４２が不履行部４０にそれぞれ退避されている場合には、この商品に関する選択肢の選択が履行されないことから、選択の有無も明確になる。
【００６１】
さらに、シート２０は端末５０で読み取られ、アプリケーションの解析処理部にて解析される。ここで、このシート２０には、窓２６，３２，３８やブロック３０，３６，４２の拡大縮小率や回転角度を解析処理部に認識させる枠２４を有していることから、これら窓２６，３２，３８やブロック３０，３６，４２の解析精度の向上に寄与する。
【００６２】
本発明は、上記実施例に限定されず、特許請求の範囲を逸脱しない範囲で種々の変更を行うことができる。
例えば、上記実施例のシート２０はカタログ１の１頁分の大きさと略同等の大きさで形成されているが、必ずしもこの形態に限定されるものではない。
つまり、図９に示されるように、当該シート２０Ａはシート２０に比して垂直方向に向けて長く構成されており、上側本体２２Ａの上端部分の左側には副窓２６Ａが配置されている。
【００６３】
この副窓２６Ａは、水平方向に沿って長辺を、垂直方向に沿って短辺をそれぞれ有する略長方形状の孔で形成されており、この副窓２６Ａ内には、平面視で略正方形状に形成された単色（例えば黒色）の副ブロック（移動部材）３０Ａが２個配設されている。
そして、副窓２６Ａは他の商品カタログを特定する機能を有している。詳しくは、上記カタログ１とは異なるカタログを閲覧し、当該カタログ中の商品の注文を決定した場合には、シート２０Ａを手に持ち、例えば枠２４の上辺及び右辺（或いは左辺）と当該カタログの上端及び右端部分（或いは左端部分）とが一致するように、シート２０Ａをカタログに重ねると、当該カタログの左上に掲載されている図示しない印刷物判別表示部の串団子コードが窓２６Ａで囲まれる。
【００６４】
次いで、ブロック３０Ａを不履行部２９Ａから履行部２７Ａまで左方向に向けて水平移動させると、当該カタログの情報がシート２０Ａに透き写しされる。この場合には、１枚のシート２０Ａは別のカタログに対する注文シートとしてもリユース（再使用）可能となる。なお、この副窓２６Ａは同一カタログの頁番号を特定する機能を有していても良い。
【００６５】
一方、この上側本体２２Ａの下端部分の右側にはシール４８が貼付されている。このシール４８は、注文者の確認を行うためのものであり、窓及びブロックを有する形状で構成されている。当該シール４８は、例えばカタログの申し込み時に配布されており、注文時にはシール４８が貼付されたシート２０Ａを撮影すれば、上記アプリケーションによる主ブロック３０等の位置の特定と同時に、この者の認証をも行うことができる。
【００６６】
また、上記実施例では、串団子コード８に加えてサイズ欄１６や数量欄１８を必要としているが、これらサイズや数量等の情報が商品名欄６に予め盛り込まれていれば、コード８のみでも商品の注文書として機能することができる。
さらに、上記実施例の団子部１２は円形の他、四角形等の任意の形状であっても良く、また、各ブロック３０，３０Ａ，３６，４２が四角形であれば溝２８内に保持され易いが、この形状も任意の形状であっても良い。
【００６７】
さらにまた、上記実施例の団子部１２や各ブロック３０，３０Ａ，３６，４２は単色（例えば黒色）で構成されるが、これらは任意の色で、さらには任意の色の組み合わせで構成されていても良く、この場合には、商品の特定数をさらに増やすことができる。なお、団子部１２の個数についても２個に限定されるものではなく、例えば１個や３個以上の任意の数で構成されていても良い。
また、上記実施例のシート２０とカタログ１とは別体で構成されている。しかし、これらカタログとシートとは一体に構成されていても良く、この場合の各ブロックは、上述した任意の色による団子部の色をも透写できる形状で形成されていても良い。そして、この場合のシートはカタログとともに撮影され得るものの、撮影画像から雑音となる写真欄等をアプリケーションで除去し、撮影画像からシートの枠、窓やブロックをそれぞれ抜き出せば、上記と同様に、シートの解析が可能となる。
【００６８】
さらに、上述した携帯情報端末は携帯電話機に限定されるものではなく、通信機能を有した携帯型コンピュータ、ノート型のパーソナルコンピュータ等であっても良い。
最後に、上記実施例では印刷物として商品カタログに具現化した例が示されているが、このカタログはパーソナルコンピュータ等の画面に表示されていても良い。つまり、この場合の注文シートは当該画面に重ねられ、この画面に表示されたドットの配置情報をシートに透写することになる。また、本発明の印刷物はアンケート等の如く、被提供側からの何等かの意思を表明するカタログ以外の印刷物にも当然に適用可能である。
【図面の簡単な説明】
【００６９】
【図１】本実施例の商品カタログに注文シートを載置した図である。
【図２】図１のカタログにおける商品表示部の拡大図である。
【図３】図２の串団子コードの説明図である。
【図４】図１の注文シートの構成図である。
【図５】図４のシートにおける窓の拡大図である。
【図６】図５のVI−VI線の矢視断面図である。
【図７】図４のシートの読み取り例を示す図である。
【図８】図１のカタログやシートを用いた商品注文システムを示す図である。
【図９】他の実施例における注文シートの構成図である。
【符号の説明】
【００７０】
１  商品カタログ（印刷物）
２  商品表示部（提供項目表示部）
８  串団子コード（コード）
１０  串部（棒状部）
１２  団子部（ドット）
１４  選択肢表示部
２０  注文シート（意思表明シート）
２４  枠（パターン）
２６  主窓（意思表明欄）
２９  不履行部（デフォルト部）
３０  主ブロック（移動部材）
３２  副窓
３４  不履行部（デフォルト部）
３６  副ブロック（移動部材）
３８  副窓
４０  不履行部（デフォルト部）
４２  副ブロック（移動部材）
５０  カメラ機能付き携帯情報端末（光学機器）
８０  サーバ
【図１】
2008284723.tif 000003
【図２】
2008284723.tif 000004
【図３】
2008284723.tif 000005
【図４】
2008284723.tif 000006
【図５】
2008284723.tif 000007
【図６】
2008284723.tif 000008
【図７】
2008284723.tif 000009
【図８】
2008284723.tif 000010
【図９】
2008284723.tif 000011